(57)【要約】      （修正有）【課題】軽量で薄く、身体防護性が高く、装着性、運動性、作業性および着心地のよい身体防護チョッキであり、且つ予想される現場の状況に応じて、異なった種類のチョッキを選択使用すること無く、衝撃緩衝パッドのみを単に交換するのみですむ身体防護チョッキを提供する。【解決手段】布製のチョッキ（ベスト）本体の前見頃と後見頃と襟部に、又は本体の前見頃と後見頃と肩部と襟部にファスナー２００，ＫＦ，Ｋ１−３付のポケット３０１，３０３，３０４，Ｋ１，Ｋ２−３を設け、そのポケット内に衝撃緩衝（吸収）パッド４１０，Ｋ２，Ｋ３−３を挿入してなり、衝撃緩衝パッドは、緩衝材又は緩衝材の表面に補強材を施してなり、前記襟部のポケットに装填した衝撃緩衝パッドは、気体封入パットに交換可能とする。【選択図】図１
0003189275.tif 000002
【実用新案登録請求の範囲】
【請求項１】
布製のチョッキ（ベスト）本体の前見頃及び後見頃及び襟部に又は本体の前見頃及び後見頃及び肩部及び襟部にファスナー付のポケットを設け、そのポケット内に衝撃緩衝（吸収）パッドを交換可能に装填してなり、衝撃緩衝パッドは、緩衝材又は緩衝材の表面に補強材を施してなり、前記襟部のポケットに装填した衝撃緩衝パッドは、気体封入パットに交換可能に装填したことを特徴とする身体防護チョッキ（ベスト）。
【考案の詳細な説明】
【技術分野】
【０００１】本考案は、身体防護チョッキに関するものであり、建築作業現場、解体作業現場などにおいて不慮の転落や、危険物との衝突などが発生しても作業者の生命に掛かる上半身を確実に防護してその被害を最小限に止める優れた作業用の身体防護チョッキ（ベスト）を提供する。
【背景技術】
【０００２】従来から、身体防護チョッキとしては、金属製の鎧状、多層状パッドなどで全体を構成したチョッキや、強度の高いアラミド繊維等により編んだ布材を所定枚数重ねて構成したチョッキなどが提案されている。【０００３】しかしながら、上記従来の身体防護チョッキでは次の各種課題がある。
（Ａ）上記金属製チョッキでは、金属の強度が低くかつ比重が大きいために、所定の防御性能を得るために鉄板の厚さを大きくする必要が生じ、結果的にチョッキ全体の重量が重くなる。また、大型の金属板をチョッキ形に裁断して鎧状に接続する構成は、着心地が悪く且つ作業性が極めて悪い。【０００４】（Ｂ）アラミド繊維布を所定枚数重ねて構成した身体防護チョッキでは、衝撃能力の高い危険物に対抗するために重ねる枚数を増やすこと（例えば３０枚程度）が行われている。このようにアラミド繊維布を多数枚重ねる構成では、柔軟性のある布材を使用しても着心地が悪くなるとともに、水に濡れた場合に多量に水分を含んでしまい重くなる。また、この構成では体の熱が逃げにくくなるため、夏は蒸れて着にくい。【０００５】（Ｃ）さらに、アラミド繊維布を多数枚重ねる構成では、危険物が当たったときに危険物が体内に入ることは防止できるものの、アラミド繊維布に直接に危険物が衝突するため打撃のときに身体が受ける衝撃が大きく、打撃時に装着者の身体的、心理的ショックが大きくなってしまう。
【考案の概要】
【考案が解決しようとする課題】
【０００６】本考案は上記課題を解決する、身体防護チョッキを提供することにある。
具体的な主目的は、軽量で薄く、かつ身体防護性の高い身体防護チョッキを提供すること、及び所定の防御性能を保ち、装着性、運動性、作業性および着心地のよい身体防護チョッキを提供することに、更に予想される現場の状況に応じて、異なった種類のチョッキを選択使用すること無く、同一のチョッキ本体を着用し身体防護物のみを単に交換するのみですむ身体防護チョッキを提供することにある。
【課題を解決するための手段】
【０００７】布製のチョッキ（ベスト）本体の前見頃及び後見頃及び襟部に又は本体の前見頃及び後見頃及び肩部及び襟部にファスナー付のポケットを設け、そのポケット内に衝撃緩衝（吸収）パッドを装脱可能に装填してなり、衝撃緩衝パッドは、緩衝材又は緩衝材の表面に補強材を施してなり、前記襟部のポケットに装填した衝撃緩衝パッド又は気体封入パットに交換可能に装填したことを特徴とする身体防護チョッキ（ベスト）。
【考案の効果】
【０００８】本考案の身体防護チョッキは、チョッキ本体において、上半身の重要な部位に相当するところに即ち、（１）本体の前見頃及び後見頃及び襟部に設けたポケット部に、又は（２）本体の前見頃及び後見頃及び肩部及び襟部に設けたポケット部に、作業に適応した所要の緩衝機能と補強機能を有する衝撃緩衝（吸収）パッドを装填しておけば、前面から衝撃を受けた場合でも、背面から衝撃を受けた場合でも、上から衝撃を受けた場合でも、そのポケットに装填してある衝撃緩衝パッドの緩衝材又は緩衝材と補強材とにより衝撃力が吸収緩衝されて身体へのダメージが阻止され身体を守ることが可能となる。また衝撃緩衝パッドは上半身の重要な部位に相当するところにのみ配置してあるので身体防護チョッキ全体の軽量化を有利に図ることができる。
更に、チョッキ本体における前見頃、後見頃、肩部、首部にそれぞれ設けたポケット部はファスナー付きにして衝撃緩衝パッドや気体封入パットを着脱可能に収容したものであるため、衝撃緩衝パッドを必要に応じて、任意に選択したポケット部のみに衝撃緩衝パッドを装填して作業したり、衝撃緩衝パッドを全て取り外してチョッキ本体のみで軽作業を行うことも容易に可能となる。
又、首部については、襟部に沿って形成したポケット部には、衝撃緩衝パッドと気体封入パットを交換可能に着脱可能に装填して、或いは衝撃緩衝パッドと気体封入パットを一緒に着脱可能に装填して、万が一池や海に落ちても気体封入パットは、浮袋になりライフベストとしても機能する。
つまり、本発明のチョッキは、作業中に前後からの打撃に耐え得る身体防護チョッキとして用いることができるだけでなく、状況に応じてその仕様を自由に変更することが可能であり、その変更は現場における判断に基づいて適宜行うこともできるもので、より経済性が高く機動性に富んだ使用態様を採ることのできる身体防護チョッキである。
【図面の簡単な説明】
【０００９】
【図１】本考案の身体防護チョッキの実施例を示す正面図である。
【図２】身体防護チョッキの背面図である。
【図３】身体防護チョッキの各ポケットに装填する衝撃緩衝パッドの２例を示す鳥瞰図である。
【図４】チョッキ本体１０１の透明にして示す各ポケットに装入した緩衝材の形状例を示す右半分の鳥瞰図である。
【図５】気体封入パットの鳥瞰図である。
【考案を実施するための形態】
【００１０】本考案において、前記布製のチョッキ本体は、普通強度或いは高強度の植物繊維製布や化学繊維製布或いは不繊布などでよく、またこれらを複数枚重合させてキルティング処理をした布でも良い。
【００１１】又、衝撃緩衝パッドの前記緩衝材は、スポンジ、真綿、多層綿布、可撓性とクッション性のある樹脂、その他公知の緩衝素材で形成する。
【００１２】又、衝撃緩衝パッドの前記補強材は、軽量の可撓性金属板、可撓性のあるゴムや圧縮ウレタン樹脂等その他公知の可撓性の衝撃緩衝シート材で形成する。
【００１３】又、ファスナー付のポケットは、着用する作業の内容或いは作業者の体躯などに応じて、各単数或いは複数に分割したものでよい。
従って、衝撃緩衝パッドの形状も装填する当該ポケットの形状に対応して装填しやすい形状に一体的に或いは分割タイプにして構成すればよい。
またポケットのファスナーとは、スライドファスナー、微細フック付面布と微細リング付面布とからなる所謂面ファスナー（マジックテープ：商標）、ボタン、ホック等その他の公知の着脱具で有ればよい。
そして考案を実施するための形態については次の実施例において具体的に紹介する。
【実施例１】
【００１４】図１〜図５において、本例の身体防護チョッキ１００は、布製のチョッキ本体１０１と、その前見頃１０２及び後見頃１０３に設けた面ファスナー２００付のポケット３０１〜３０９と、その各ポケット３０１〜３０９内に装脱可能に装填した衝撃緩衝パッド４１０、４２０とからなる。
衝撃緩衝パッド４１０、４２０の構造は図３（１）（２）に鳥瞰図で示す。【００１５】前記布製のチョッキ本体１０１は、普通強度の植物繊維製布で縫製したもので、前見頃１０２の中央部にスライドファスナー１０４を施し着用を容易にしたものである。チョッキ本体は、必須ではないが、胴部の括れ相当部にベルト式の締め調節バックルＢを設けて、チョッキ本体を胴部の括れにフィットさせる。またチョッキ本体は図示していないが、サイドにもベルト式の長さ調節バックルを設けて、身体へのチョッキ本体のフィットを更に良好にして、作業性とその安全性を確保する。【００１６】前見頃１０２に設けた面ファスナー２００付のポケット３０１〜３０４は、心臓部と左肺を覆う部位の第一ポケット３０１と右肺を覆う部位の第二ポケット３０２と左右腹部を覆う部位の第三ポケット３０３及び第四ポケット３０４を設置してある。【００１７】後見頃に設ける面ファスナー２００付のポケット３０５〜３０９は、背骨の周囲を覆う部位の第五ポケット３０５と、左右の両肺を覆う部位の第六ポケット３０６及び第七ポケット３０７と、左右の両腎臓を覆う部位の第八ポケット３０８及び第九ポケット３０９を設置してある。【００１８】前見頃１０２のポケット３０１〜３０４に装填する前記緩衝材４１０は、図３の（１）に示し、多少圧縮した２０〜６０ｍｍ厚のスポンジ４１１の表面に補強材として、厚み１０〜２０ｍｍの硬質ゴム４１２を貼ったものである。軽作業用にスポンジのみのものを用意してある。【００１９】後見頃１０３のポケット３０５〜３０９に装填する前記緩衝材４２０は、図３の（２）に示し、多少圧縮した２０〜６０ｍｍ厚のスポンジ４２１の表面に補強材として、軽量の厚み３ｍｍのチタン合金板４２２を貼ったものである。軽作業用にスポンジのみのものを用意してある。【００２０】これら前記緩衝材４１０、４２０の形状は、当該身体部分へのフィット形状相当に成形し、この緩衝材を装填する当該ポケットの形状は、装填対応の当該緩衝材の形状に応じてそれが装出入可能な形状にすることは勿論である。【００２１】  また図１〜図２及び図５例の身体防護チョッキは、布製のチョッキ本体１０１の肩部Ｋ及び首部Ｎにも面ファスナーＫＦ、Ｋ１−３付のポケットＫ１、Ｋ２−３を設け、そのポケットＫ１、Ｋ２−３内に図３の（２）に示す二層構造の衝撃緩衝パッドＫ２、Ｋ３−３を装脱可能に装填した例である。
この肩部ＫのポケットＫ１と衝撃緩衝パッドＫ２は、上方からの落下物、又は肩への衝突物、或いは肩からの転倒や落下に対処するもので、首部ＮのポケットＫ２−３と衝撃緩衝パッドＫ３−３は、首部Ｎの危険性がある場合に衝撃緩衝パッドＫ３−３を挿入し対処する。
首部のポケットＫ２−３には、衝撃緩衝パッドＫ３−３に代わって図５の気体封入パットＫ３−４を着脱可能に装填して、万が一池や海に落ちても浮袋になりライフベストとしても機能する。【００２２】  図４には、チョッキ本体１０１の透明にして示す各ポケットに装入した緩衝材の形状例を示す右半分の鳥瞰図である。
チョッキ本体１０１は、胴部の括れ相当部に紐式の締め調節具Ｌを設けて、チョッキ本体１０１を胴部の括れにフィットさせることができて、作業性とその安全性を確保する。
図４において、ポケットＫ１内の衝撃緩衝パッドＫ２の形状は、肩部Ｋの頂部とその前後にフィットする湾曲形状にし、第一ポケット３０１と第二ポケット３０２に挿入の緩衝材４１０−１，４１０−２の形状は、当該胸筋にフィットする湾曲形状にし、第三ポケット３０３、第四ポケット３０４に挿入の緩衝材４１０−３，４１０−２の形状は、当該腹部にそって湾曲フィットする形状にし、第五ポケット３０５に装填する緩衝材４１０−１は、背筋のＳ字湾曲に沿った形状に対応したＳ字湾曲形状に成形し、第六ポケット３０６と第七ポケット３０７に挿入の緩衝材４２０−２，４２０−３の形状は、当該肩胛骨にフィットする形状にし、第八ポケット３０８と第九ポケット３０９に挿入の緩衝材４２０−４，４２０−５の形状は、当該腎臓部にそって湾曲フィットする形状にして、局部接触部を可能な限り少なくし面接触部を多くして緩衝機能を高めて安全性を確保したものである。
【産業上の利用可能性】
【００２３】本考案の身体防護チョッキは、前記の優れた効果によって、建築作業者、造船作業者、土木作業者、これらの現場における解体作業者、及び歩行者等が、不慮の転倒、転落、飛来物や障害物との衝突などが発生しても、その生命に掛かる上半身を確実に防護してその被害を最小限に止める優れた考案であり、一般歩行者は勿論、前記各作業業界での安全作業維持に大いに貢献すること多大なものがある。
【符号の説明】
【００２４】Ｋ：肩部
Ｋ１−３：面ファスナー
Ｋ２−３：ポケット
Ｋ３−３：衝撃緩衝パッド
Ｋ３−４：気体封入パット
１００：身体防護チョッキ
１０１：布製のチョッキ本体
１０２：前見頃
１０３：後見頃
２００、ＫＦ：面ファスナー
３０１〜３０９、Ｋ１：ポケット
４１０、４２０、Ｋ２：衝撃緩衝パッド
４１０−１〜４１０−４：衝撃緩衝パッド
４２０−１〜４２０−５：衝撃緩衝パッド
１００：身体防護チョッキ
１０１：布製のチョッキ本体
１０２：前見頃
１０３：後見頃
２００：面ファスナー
３０１〜３０９：ポケット
４１０、４２０：衝撃緩衝パッド
【図１】
0003189275.tif 000003
【図２】
0003189275.tif 000004
【図３】
0003189275.tif 000005
【図４】
0003189275.tif 000006
【図５】
0003189275.tif 000007